(57)【特許請求の範囲】
【請求項１】
外周が多角形状をなす被装飾品本体を有する被装飾品又はこれを組み立てるための構成部材と、上記被装飾品本体の各外周平面にそれぞれ装飾シートを貼り付けるための両面接着シートとを具備する装飾品製作用キットであって、
上記両面接着シートは、上記装飾シートを上記被装飾品本体の各外周平面に対応する形状に切り取るための複数枚の型紙又はこれら複数枚の型紙を切り取るための切り取り線を有する原紙であることを特徴とする装飾品製作用キット。
【請求項２】
上記両面接着シートは、上記被装飾品本体の一の外周平面に上記装飾シートを貼り付ける第１両面接着シートと、上記被装飾品本体の上記一の外周平面に隣接する他の外周平面に上記装飾シートを貼り付ける第２両面接着シートとを有し、かつ
上記第１両面接着シートは、上記貼り付けた際に周方向の両端部が上記他の外周平面に貼り付けられるように上記周方向が上記一の外周平面よりも大きく形成されるとともに、
上記第２両面接着シートは、上記貼り付けた際に周方向の端部が上記他の外周平面内にて上記第１両面接着シートの上記端部と重なるように上記周方向が上記他の外周平面よりも小さく形成されていることを特徴とする請求項１に記載の装飾品製作用キット。
【請求項３】
請求項１又は２に記載の装飾品製作用キットを用いて、上記被装飾品に上記装飾シートを貼り付けることにより、装飾品を製作する装飾品の製造方法であって、
上記両面接着シートを上記装飾シートに貼り付けた後に、上記装飾シートを上記両面接着シートの外縁に沿って切断し、次いで、この両面接着シートが貼り付けられた装飾シートを装飾シールとして、上記被装飾品本体に貼付することを特徴とする装飾品の製造方法。
【請求項４】
請求項２に記載の装飾品製作用キットを用いて、上記被装飾品に上記装飾シートを貼り付けることにより、装飾品を製作する装飾品の製造方法であって、
上記第１両面接着シートおよび第２両面接着シートを上記装飾シートに貼り付けた後に、上記装飾シートを上記第１両面接着シートおよび第２両面接着シートの外縁に沿ってそれぞれ切断し、
次いで、この第１両面接着シートが貼り付けられた装飾シートを第１装飾シールとして上記被装飾品本体の一の外周平面に貼付するとともに、この第１装飾シールの周方向の両端部を、上記隣接する他の外周平面に貼付した後に、
上記第２両面接着シートが貼り付けられた装飾シートを第２装飾シールとして、上記被装飾品本体の上記他の外周平面に、上記第２装飾シールの周方向の端部を上記第１装飾シールの端部の上に重ねるように貼付することを特徴とする装飾品の製造方法。
【発明の詳細な説明】
【技術分野】
【０００１】
本発明は、一般の人が装飾品を製作するために用いる、外周が多角形状をなす被装飾品本体を有する被装飾品又はこれを組み立てるための台紙等の構成部材や、装飾シートを被装飾品に貼り付けるための両面接着シートが一揃いしている装飾品製作用キット及びそれを用いた装飾品の製造方法に関するものである。
【背景技術】
【０００２】
従来から、小物を入れるための３段タンス、リモコン立て、テッシュボックスケース、や写真立てなどの装飾品を製作するための基体である被装飾品又はこの被装飾品を組み立てるための複数枚の台紙などの構成部材と、この被装飾品に貼り付けられる和紙等の装飾シートと、必要に応じて、この装飾シートを切り取るための型紙とを具備した装飾品製作用キットが知られている（例えば、特許文献１参照）。
【０００３】
このような装飾品製作用キットは、一般の人が、構成部材から被装飾品を組み立てる過程、この被装飾品に対応する形状の装飾シートを型紙を利用して切り取るための切り取り過程や、この装飾シートを被装飾品に貼り付ける過程を楽しみつつ装飾品を作製するのに利用される。
なお、上記切り取り過程は、装飾シートが被装飾品に応じた形状に切り取られて装飾品製作用キットに組み込まれている場合には、不要である。
【０００４】
ところで、この被装飾品は、例えば、３段タンスである場合に、矩形筒状の装飾品本体の一端が背面板によって閉塞されたケース本体と、このケース本体内の空間を上下に分けて、3本の引出しを載置するための仕切り板や引出し等の付属品とによって構成されている。
【０００５】
そして、装飾シートを貼り付ける過程においては、いずれの被装飾品も多角形筒状の装飾品本体を有しているため、この装飾品本体の各外周平面にそれぞれ糊が塗布された装飾シートを押し付けるようにして貼り付ける際に、各装飾シートの外周縁が糊によって装飾品本体から浮いてしまう問題や、糊が隣接する外周平面にはみ出して美観を損ねる欠点もある。
【０００６】
このため、一般的には、この装飾品本体の外周面全長に糊を塗布した一枚の装飾シートを、特に装飾品本体の各角部において浮かせないように、また、空気が入らないように貼り付ける。
さらに、例えば、この装飾品本体がタンスである場合には、必要に応じて、背面板や付属品にも装飾シートを貼り付ける。その際、付属品が例えば引出しなどのように矩形筒体を有する場合には、同様に、この矩形筒体の外周面全長に一枚の装飾シートを空気が入らないように貼り付ける。
このようにして製作されて完成した装飾品は、用途に応じて使用に供されるものである。
【０００７】
しかしながら、上述のように一枚の装飾シートを装飾品本体の外周面全長に貼り付ける際に、一度空気が入ってしまうと装飾シートが歪んでしまうために一枚の装飾シートが全て無駄になってしまうだけでなく、このようなリスクがあるために必要以上に製作者の集中力を要してしまうという欠点がある。
【０００８】
これに対して、この装飾品製作用キットは、一般の人が製作過程を楽しむ娯楽品としての意味を有し、かつ完成品が永年使用可能であることから、一度の空気混入によって装飾品本体の外周面全長に貼り付ける装飾シートが全て無駄になってしまうというリスクを軽減して、美観性に優れた装飾品を製作可能なものとする必要がある。
【０００９】
【特許文献１】特開２００４−０９９１３５公報
【発明の開示】
【発明が解決しようとする課題】
【００１０】
本発明は、かかる事情に鑑みてなされたもので、一度の空気混入によって装飾品本体の外周面全体に貼り付ける装飾シートが全て無駄になることなく、必要以上に集中力を必要とせずに楽しみながら美観性に優れた装飾品を製作することができる装飾品製作用キットや、この装飾品製作用キットを利用して、効率的に装飾品を製作することができる装飾品の製造方法を提供することを課題とするものである。
【課題を解決するための手段】
【００１１】
すなわち、請求項１に記載の本発明は、外周が多角形状をなす被装飾品本体を有する被装飾品又はこれを組み立てるための構成部材と、上記被装飾品本体の各外周平面にそれぞれ装飾シートを貼り付けるための両面接着シートとを具備する装飾品製作用キットであって、上記両面接着シートは、上記装飾シートを上記被装飾品本体の各外周平面に対応する形状に切り取るための複数枚の型紙又はこれら複数枚の型紙を切り取るための切り取り線を有する原紙であることを特徴とするものである。
【００１２】
ここで、被装飾品とは、例えば、多段タンス、リモコン立て、テッシュボックスケース、や写真立てなど、多角形筒体の一端が閉塞されたケース本体を具備する日用品やティッシュなどの小物を入れるためのケースであって、和紙等の装飾シートを貼付可能なものを含むものである。この場合、上記多角形筒体が被装飾品本体となるが、この装飾品本体以外の、例えば、上記閉塞面にも装飾シートを貼り付けるものであってもよい。
さらに、切り取り線を有する原紙とは、複数枚の型紙を切り取るための、ミシン目が入った或いは切り取り線や点線が描かれた原紙を含む意味である。
【００１３】
請求項２に記載の発明は、請求項１に記載の装飾品製作用キットにおいて、上記両面接着シートは、上記被装飾品本体の一の外周平面に上記装飾シートを貼り付ける第１両面接着シートと、上記被装飾品本体の上記一の外周平面に隣接する他の外周平面に上記装飾シートを貼り付ける第２両面接着シートとを有し、かつ上記第１両面接着シートは、上記貼り付けた際に周方向の両端部が上記他の外周平面に貼り付けられるように上記周方向が上記一の外周平面よりも大きく形成されるとともに、上記第２両面接着シートは、上記貼り付けた際に周方向の端部が上記他の外周平面内にて上記第１両面接着シートの上記端部と重なるように上記周方向が上記他の外周平面よりも小さく形成されていることを特徴とするものである。
【００１４】
請求項３に記載の発明は、請求項１又は２に記載の装飾品製作用キットを用いて、上記被装飾品に上記装飾シートを貼り付けることにより、装飾品を製作する装飾品の製造方法であって、上記両面接着シートを上記装飾シートに貼り付けた後に、上記装飾シートを上記両面接着シートの外縁に沿って切断し、次いで、この両面接着シートが貼り付けられた装飾シートを装飾シールとして、上記被装飾品本体に貼付することを特徴とするものである。
【００１５】
請求項４に記載の発明は、請求項２に記載の装飾品製作用キットを用いて、上記被装飾品に上記装飾シートを貼り付けることにより、装飾品を製作する装飾品の製造方法であって、上記第１両面接着シートおよび第２両面接着シートを上記装飾シートに貼り付けた後に、上記装飾シートを上記第１両面接着シートおよび第２両面接着シートの外縁に沿ってそれぞれ切断し、次いで、この第１両面接着シートが貼り付けられた装飾シートを第１装飾シールとして上記被装飾品本体の一の外周平面に貼付するとともに、この第１装飾シールの周方向の両端部を、上記隣接する他の外周平面に貼付した後に、上記第２両面接着シートが貼り付けられた装飾シートを第２装飾シールとして、上記被装飾品本体の上記他の外周平面に、上記第２装飾シールの周方向の端部を上記第１装飾シールの端部の上に重ねるように貼付することを特徴とするものである。
【発明の効果】
【００１６】
請求項１および２に記載の装飾品製作用キットならびに請求項３および４に記載の装飾品の製造方法によれば、型紙としての両面接着シートを装飾シートに貼り付けた後に、この両面接着シートの外縁に沿って装飾シートを切断することにより、両面接着シートが貼り付けられた装飾シートである装飾シールが得られる。
この装飾シールは、糊による膨潤に伴って変形して空気が入り込む恐れもないことから、軽く上から押さえることによって空気の混入を防止して装飾品本体の各外周平面にそれぞれ貼付することができる。
【００１７】
また、万が一、装飾シールを貼り付ける過程において装飾品本体との間に空気が入ってしまった場合にも、一枚の装飾シールを貼り替えることによって容易に装飾品を製作し直すことができる。
このため、上述の製作作業に慣れていない一般の人であっても、空気の混入に対して神経質になる必要もなく、楽しみながら装飾品を製作することができるとともに、美観性に優れた完成品得ることによって満足度を高めることができ、装飾品製作用キットの娯楽品としての価値を高めることができる。
【００１８】
特に、請求項２および４に記載の発明のように、第１両面接着シートを人の目に付きやすい装飾品本体の外周平面に貼付することによって、この外周平面に隣接する他の外周平面に第１両面接着シートの周方向の両端部が貼付されるため、この他の外周平面に第２両面接着シートを貼付することによって、第1両面接着シートの端部や第２両面接着シートの端部が人の目に付きやすい装飾品本体の外周平面に露出されないため、美観性に優れた装飾品を得ることができる。
【００１９】
加えて、請求項４に記載の発明によれば、第１両面接着シートの装飾品本体の角部にて折り曲げられて他の外周平面に貼付された周方向の端部が、第２両面接着シートの端部に比べて、使用によって剥がれやすいものの、第２両面接着シートの下に隠れるため、永年の使用によっても美観を損ねることを防止することができる。
【発明を実施するための最良の形態】
【００２０】
次に、本発明に係るティッシュケース製作用キット（装飾品製作用キット）を第１実施形態として説明した後に、このティッシュケース製作用キットを用いた本発明に係るティッシュケースの製作方法について説明する。
【００２１】
まず、本実施形態におけるティッシュケース製作用キットは、図１に示すように、ティッシュペーパを収容可能なティッシュケースの基体（被装飾品）１と、この基体１に装飾紙（装飾シート）Ｄを貼り付ける両面接着シート２０〜２４とを有している。
このティッシュケースの基体１は、図２に示すように、市販のティッシュボックスからティッシュペーパＷを取り出して、２つ折りにして収容可能な内箱１１と、この内箱１１を内部に出し入れ自在な矩形筒体（被装飾品本体）の上端が天板１２ａによって閉塞された外箱１２とを有している。この内箱１１の天井面と天板１２ａとには、それぞれティッシュペーパＷを取り出す取り出し口１１０，１２０が形成されている。
【００２２】
また、両面接着シート２０〜２４は、外箱１２の外周４側面用と天板１２ａ用の５枚が用意されており、天板１２ａ用の両面接着シート２０は、外周縁部が外周４側面に貼り付けられるように天板１２ａよりも大きい矩形状に形成されている。
さらに、外周４側面用の４枚の両面接着シート２０〜２４は、いずれも外箱１２の外周側面１３、１４、１５、１６に貼り付けた際に、それらの下端縁部が外箱１２の外縁から外周側面１３、１４、１５、１６の裏面に貼り付けられるように、軸線方向に外周側面１３、１４、１５、１６よりも大きく形成されている。
また、これらの両面接着シート２０〜２４のうちの半数の２枚は、一方の対向する外周側面１３、１４に貼り付けた際に、周方向の両端縁部が隣接する外周２側面１５、１６に貼付されるように、周方向が外周側面１３、１４よりも大きい矩形状に形成された第１両面接着シート２１、２２である。残りの半数の２枚は、他方の対向する外周側面１５、１６に貼り付けた際に、外周側面１５、１６にて周方向の両端縁部が第１両面接着シート２１、２２の縁部に重なるように、周方向が外周側面１５、１６よりも小さい矩形状に形成された第２両面接着シート２３、２４である。
【００２３】
これらの両面接着シート２０〜２４は、装飾紙Ｄを、天板１２ａ、各外周４側面１３、１４、１５、１６に対応する形状に切り取るための型紙でもあり、その両面にそれぞれ剥離紙が剥離可能に設けられて、この剥離紙を剥がすことによって接着面が表れるようになっている。
【００２４】
次ぎに、上述のティッシュケース製作用キットを用いたティッシュケースの製作方法について、図３〜図６を用いて説明する。
まず、両面接着シート２０および２枚の第１両面接着シート２１、２２を、順次、片方の剥離紙を剥がして、図３に示すように、外周縁を装飾紙Ｄの縁ｄ１に合わせて貼り付ける。
その際、両面の剥離紙の厚さが異なる場合には、薄い方の剥離紙を剥がす。そして、両面接着シート２０を、装飾紙Ｄの縁ｄ１の一端に位置する角部ｄ１１に貼り付けた後に、第一接着シート２１を、その外周縁２１１を両面接着シート２０の外周縁２０１に当接させた状態で貼り付け、次いで、第一接着シート２２を、その外周縁２２１を第一接着シート２１の外周縁２１１に当接させた状態で貼り付ける。
【００２５】
次ぎに、第２両面接着シート２３、２４を、順次、薄い方の剥離紙を剥がして、図４に示すように、外周縁を装飾紙Ｄの縁ｄ１に対向する縁ｄ２に合わせて貼り付ける。
その際、第２両面接着シート２３を、装飾紙Ｄの縁ｄ２の一端に位置する角部ｄ１２に貼り付けた後に、第２両面接着シート２４を、その外周縁２４２を接着シート２３の外周縁２３２に当接させた状態で貼り付ける。
【００２６】
次ぎに、これらの両面接着シート２０〜２４が貼られた装飾紙Ｄを、図５に示すように、両面接着シート２０〜２４の外周縁にて切断して、両面接着シート２０〜２４が貼られた装飾紙Ｄである５枚の装飾シールＭ１〜Ｍ５を得る。
次いで、装飾シールＭ１の中央部に、取り出し口１２０より一回り小さい開口２２２を形成した後に、装飾シールＭ１の残りの剥離紙Ｊ１を剥がすことにより、装飾シールＭ１を、図６（ａ）に示すように外周縁部を残して、外箱１２の天板１２ａに貼り付ける。その後、図６（ｂ）に示すように、この装飾シールＭ１の外周縁部を、天板１２ａの各縁に押し当てながら外周側面１３、１４、１５、１６に貼り付ける。これにより、装飾シールＭ１の角部による突起Ｍ１０が四箇所にそれぞれ形成される。
【００２７】
次いで、装飾シールＭ１に、開口２２２から外箱１２に形成された取り出し口１２０までに鋏で多数の切り込みを入れることによって切り込み部Ｍ１１を形成した後に、この切り込み部Ｍ１１を取り出し口１２０の外周縁に沿って天板１２ａの裏面に向けて折り込むことにより、天板１２ａの裏面に貼り付ける。
その後、図６（ｃ）に示すように、突起Ｍ１０を、上から鋏を入れることにより除去する。
【００２８】
次いで、図６（ｄ）に示すように、装飾シール（第１装飾シール）Ｍ２を、剥離紙Ｊ２を剥がして、その上縁部が外箱１２の側面１３にて装飾シールＭ１の外周縁部の上に重なるように、かつ周方向の両端縁部を残すように、側面１３に向けて軽く押し当てながら側面１３に貼付する。次いで、図６（ｅ）に示すように、装飾シールＭ２の周方向の両端縁部を、それぞれ側面１３の縁に押し当てながら折り曲げて側面１５、１６に貼り付ける。その後、装飾シールＭ２の下縁部を側面１３の縁に押し当てながら折り曲げて側面１３の裏面に貼り付けるとともに、装飾シールＭ２の角部を側面１５、１６の縁に押し当てながら折り曲げて側面１５、１６の裏面に貼り付けることにより、装飾シールＭ２による突起Ｍ２０が形成される。
【００２９】
同様に、装飾シール（第１装飾シール）Ｍ３を、剥離紙Ｊ３を剥がして、側面１３に対向する側面１４に貼付した後に、装飾シールＭ３の周方向の両端縁部をそれぞれ側面１４の縁に押し当てながら側面１５、１６に貼り付けるとともに、装飾シールＭ３の下縁部を側面１４、１５、１６の裏面に貼り付けることにより、装飾シールＭ３による突起Ｍ３０が形成される。
次いで、図６（ｆ）に示すように、これらの突起Ｍ２０、Ｍ３０に、鋏を入れることにより突起Ｍ２０、Ｍ３０を切除する。
【００３０】
次いで、図６（ｇ）に示すように、装飾シール（第２装飾シール）Ｍ４を、剥離紙Ｊ４を剥がすことにより、その上縁部が外箱１２の側面１５にて装飾シールＭ１の外周縁部の上に重なるように、かつその周方向の両端縁部が側面１５にて装飾シールＭ２、Ｍ３の両端縁部の上に重なるように、側面１５に向けて軽く押し当てながら貼付する。その後、図６（ｈ）に示すように、装飾シールＭ４の下縁部を、側面１５の縁に押し当てながら折り曲げて側面１５の裏面に貼り付ける。
【００３１】
同様に、装飾シール（第２装飾シール）Ｍ５を、剥離紙Ｊ５を剥がすことにより、その上縁部が側面１６にて装飾シールＭ１の外周縁部の上に重なるように、かつその周方向の両端縁部が側面１６にて装飾シールＭ２、Ｍ３の両端縁部の上に重なるように、側面１６に向けて軽く押し当てながら貼付した後、装飾シールＭ５の下縁部を側面１６の裏面に貼り付ける。
これにより、装飾シールＭ１〜Ｍ５を貼り付けた外箱１２の内部に内箱１１を入れることにより、ティッシュケースが製作される。
【００３２】
次ぎに、第２実施形態として、本発明に係る三段タンス製作用キット（装飾品製作用キット）について説明した後に、この三段タンス製作用キットを用いた本発明に係る三段タンス（装飾品）の製作方法について説明する。
本実施形態における三段タンス製作用キットは、図７および図８に示すように、三段タンスの基体（被装飾品）４と、この基体４に装飾紙（装飾シート）Ｅを貼り付ける両面接着シート６０〜６４、６５ａ〜６９ａ、６５ｂ〜６９ｂ、６５ｃ〜６９ｃ、７１、７２とを有している。
【００３３】
この基体４は、図７に示すように、天板４１、側板４２、４３および底板４４によって形成された矩形筒体（被装飾品本体）の一端が背面板４５によって閉塞されたケース本体と、このケース本体内の空間を上下に分ける２枚の仕切り板４６、４７と、これらの仕切り板４６、４７および底板４４上に引き出し自在に載置される３本の引出し５１、５２、５３とを有している。
各引出し５１〜５３は、それぞれ前面板、２枚の側面板および背面板による矩形筒体の一端が底板によって閉塞されて構成されている。
【００３４】
また、両面接着シート６０〜６４、６５ａ〜６９ａ、６５ｂ〜６９ｂ、６５ｃ〜６９ｃ、７１、７２は、天板４１、側板４２、４３、底板４４および背面板４５用の５枚の他に、仕切り板４６、４７用の２枚と、各引出し５１〜５３の前面板用３枚と、両側面板用６枚と、背面板用３枚と、底板用３枚の計２２枚が用意されている。
【００３５】
そのうち、側板４２、４３用の両面接着シート６０、６１は、外周縁部が側板４２、４３外方にはみ出して、天板４１、底板４４および背面板４５に貼り付けられるように側板４２、４３より大きい矩形状に形成された２枚の第１両面接着シートである。
他方、天板４１用および底板４４用の両面接着シート６２、６３は、貼り付けた際に、側板４２側と側板４３側との間の幅方向の両端縁部が天板４１内や底板４４内にてそれぞれ第１両面接着シート６０、６１と重なるように、幅方向が天板４１や底板４４よりも小さく形成された矩形状の第２両面接着シートである。また、両面接着シート６２、６３は、背面板４５側とケース本体の開口側との間の奥行き方向が天板４１や底板４４よりも大きく形成されている。
さらに、背面板４５用の両面接着シート６４は、外周縁部が背面板４５にて各両面接着シート６０〜６３の縁部と重なるように背面板４５よりも小さく形成されていおり、仕切り板４６、４７用の２枚の両面接着シート７１、７２は、帯状に形成されている。
【００３６】
加えて、各引出し５１〜５３の前面板用の両面接着シート６５ａ、６５ｂ、６５ｃは、それぞれ外周縁部が前面板外方にはみ出して、前面板の裏面、両側面板や底板に貼り付けられるように前面板より大きい矩形状に形成された第１両面接着シートである。同様に、各引出し５１〜５３の背面板用の両面接着シート６６ａ、６６ｂ、６６ｃも、それぞれ背面板の裏面、両側面板や底板に貼り付けられるように背面板より大きい矩形状に形成された第１両面接着シートである。
【００３７】
他方、各引出し５１〜５３の側面板用の６枚の両面接着シート６７ａ、６７ｂ、６７ｃ、６８ａ、６８ｂ、６８ｃは、それぞれ上下縁部が側面板の裏面および底板に貼り付けられるように側面板より大きく形成され、かつ側面板にて両面接着シート６５ａ〜６５ｃ、６６ａ〜６６ｃの外縁部と重なるように奥行き方向が側面板よりも小さく形成されている第２両面接着シートである。
【００３８】
さらに、各引出し５１〜５３の底板用の３枚の両面接着シート６９ａ、６９ｂ、６９ｃは、外周縁部が底板にて、両面接着シート６５ａ〜６８ａ、６５ｂ〜６８ｂ、６５ｃ〜６８ｃの縁部と重なるように底板よりも小さく形成されている。
【００３９】
これらの両面接着シート６０〜６４、６５ａ〜６９ａ、６５ｂ〜６９ｂ、６５ｃ〜６９ｃ、７１および７２は、装飾紙Ｅを、天板４１、側板４２、４３、底板４４、背面板４５および仕切り板４６、４７ならびに各引出し５１〜５３の前面板、両側面板、背面板および底板に対応する形状に切り取るための型紙でもある。そして、これらの両面接着シート６０〜６４、６５ａ〜６９ａ、６５ｂ〜６９ｂ、６５ｃ〜６９ｃ、７１および７２は、その両面に剥離紙（図示を略す）が剥離可能に設けられて、この剥離紙を剥がすことによって接着面が表れるようになっている。
【００４０】
次ぎに、上述の三段タンス製作用キットを用いた三段タンスの製作方法について説明する。
まず、第１両面接着シート６０、６１、第２両面接着シート６２、６３および両面接着シート６４、７１、７２ならびに各引出しの第１両面接着シート６５ａ〜６５ｃ、６６ａ〜６６ｃ、第２両面接着シート６７ａ〜６７ｃ、６８ａ〜６８ｃおよび両面接着シート６９ａ〜６９ｃを、順次、片方の剥離紙を剥がして、互いの外周縁同士を当接させるように隣接させて装飾紙Ｅに貼り付ける。
その際、両面の剥離紙の厚さが異なる場合には、薄い方の剥離紙を剥がす。
【００４１】
次ぎに、これらの両面接着シート６０〜６４、６５ａ〜６９ａ、６５ｂ〜６９ｂ、６５ｃ〜６９ｃ、７１、７２が貼られた装飾紙Ｅを、両面接着シート６０〜６４、６５ａ〜６９ａ、６５ｂ〜６９ｂ、６５ｃ〜６９ｃ、７１、７２の外周縁にて切断して、各両面接着シート６０〜６４、６５ａ〜６９ａ、６５ｂ〜６９ｂ、６５ｃ〜６９ｃ、７１、７２が貼られた装飾紙Ｅである２２枚の装飾シールＮ１〜Ｎ２２を得る。
【００４２】
次いで、装飾シール（第１装飾シール）Ｎ１を、残りの剥離紙ｋ１を剥がすことにより、外周縁部を残して、側板４２に貼り付ける。その後、この装飾シールＮ１の外周縁部を、順次、側板４２の各縁に押し当てながら折り曲げて、天板４１、底板４４および背面板４５に貼り付けるとともに、仕切り板４６、４７に臨む位置に切り込みを入れることにより、ケース本体の開口側から側板４２の裏面に貼り付ける。その際、第１実施形態と同様に、装飾シールＮ１の四角部にそれぞれ装飾シールＮ１による突起が形成されるため、この突起を鋏により切除する。
【００４３】
同様に、装飾シール（第１装飾シール）Ｎ２を、剥離紙ｋ２を剥がすことにより、側板４３に貼り付けた後に、この装飾シールＮ２の外周縁部を、天板４１、底板４４および背面板４５に貼り付けるとともに、側板４２の裏面に貼り付ける。その際、装飾シールＮ２の四角部にそれぞれ装飾シールＮ２による突起が形成されるため、突起を切除する。
【００４４】
次いで、装飾シール（第２装飾シール）Ｎ３を、剥離紙を剥がすことにより、装飾シールＮ１、Ｎ２の外周縁部の上に重ねるように天板４１に貼り付ける。その後、装飾シールＮ３の背面板４５側の縁部を、天板４１の縁に押し当てながら折り曲げて背面板４５に貼り付けるとともに、装飾シールＮ３の手前側縁部を、天板４１の縁に押し当てながら折り曲げてケース本体の開口側から天板４１の内側裏面に貼り付ける。
同様に、装飾シール（第２装飾シール）Ｎ４を、剥離紙ｋ４を剥がすことにより、装飾シールＮ１、Ｎ２の外周縁部の上に重ねるように底板４４に貼り付ける。その後、装飾シールＮ４の背面板４５側の縁部を、底板４４の縁に押し当てながら折り曲げて背面板４５に貼り付けるとともに、装飾シールＮ４の手前側縁部を、縁に押し当てながらケース本体の開口側から底板４４の内側裏面に貼り付ける。
【００４５】
次いで、装飾シールＮ５を、装飾シールＮ１〜Ｎ４の縁部の上に重ねるように背面板４５に貼り付けるとともに、装飾シールＮ６、Ｎ７を、それぞれ仕切り板４６、４７に貼り付ける。
【００４６】
次ぎに、各引出し５１〜５３に、両面接着シート６５ａ〜６５ｃ、６６ａ〜６６ｃ、６７ａ〜６７ｃ、６８ａ〜６８ｃ、６９ａ〜６９ｃが貼られた装飾シールＮ８〜Ｎ２２を貼り付ける作業について説明する。
【００４７】
まず、装飾シール（第１装飾シール）Ｎ８を、剥離紙を剥がすことにより、外周縁部を残して、引出し５１の前面板に貼り付ける。その後、装飾シールＮ８の外周縁部を、順次、前面板の各縁に押し当てることにより、折り曲げて、両側面板にそれぞれ貼り付けるとともに、前面板の内側裏面や底板に貼り付ける。その際、装飾シールＮ８の四角部にそれぞれ装飾シールＮ８による突起が形成されるため、この突起を鋏により切除した後に、前面板に把手ｈを取り付ける。
同様に、装飾シール（第１装飾シール）Ｎ９を、引出し５１の背面板に貼り付けた後に、装飾シールＮ９の外周縁部を、順次、両側面板にそれぞれ貼り付けるとともに、背面板の内側裏面や底板に貼り付ける。その際、装飾シールＮ９の四角部に突起が形成されるため、この突起を鋏により切除する。
【００４８】
次いで、装飾シール（第２装飾シール）Ｎ１０を、側面板にて装飾シールＮ８、Ｎ９の縁部の上に重ねるように貼り付けるとともに、側面板の内側裏面や底板に貼り付ける。同様に、装飾シール（第２装飾シール）Ｎ１１を、側面板にて装飾シールＮ８、Ｎ９の縁部の上に重ねるように貼り付けるとともに、側面板の内側裏面や底板に貼り付ける。
次いで、装飾シールＮ１２を、装飾シールＮ８〜Ｎ１１の縁部の上に重ねるように底板に貼り付ける。
【００４９】
同様に、装飾シール（第１装飾シール）Ｎ１３を引出し５２の前面板に、装飾シール（第１装飾シール）Ｎ１４を背面板に、装飾シール（第２装飾シール）Ｎ１５、Ｎ１６を側面板に、装飾シールＮ１７を底板に、それぞれ貼り付けるとともに、把手ｈを取り付ける。
さらに、装飾シール（第１装飾シール）Ｎ１８を引出し５３の前面板に、装飾シール（第１装飾シール）Ｎ１９を背面板に、装飾シール（第２装飾シール）Ｎ２０、Ｎ２１を側面板に、装飾シールＮ２２を底板に、それぞれ貼り付けるとともに、把手ｈを取り付ける。
これにより、装飾シールＮ１〜Ｎ２２を貼り付けた三段タンスが得られる。
【００５０】
上述のティッシュケース製作用キットおよびこれを用いたティッシュケースの製造方法ならびに三段タンス製作用キットおよびこれを用いた三段タンスの製造方法によれば、第１両面接着シートおよび第２両面接着シートの外周縁部が、矩形筒状の被装飾品本体を具備する外箱１２、ケース本体や引出し５１〜５３の第２両面接着シートを貼付する外周平面に貼り付けられる。
このため、第１の両面接着シートが装飾紙Ｄ、Ｅに貼られた第１装飾シールを、人の目に付きに付きやすい外周平面に貼付することによって、美観性に優れた完成品を得ることができる。
【００５１】
また、上述のティッシュケースの製造方法および三段タンスの製造方法によれば、両面接着シートの薄い方の剥離紙を剥がして、装飾紙Ｄ、Ｅに貼り付けることによって、装飾シールＭ１〜Ｍ５、Ｎ１〜Ｎ１２を外箱１２、三段タンスのケース本体や引出し５１〜５３に貼り付ける際に、安定的に厚い方の剥離紙を剥がすことができ、終盤の作業において剥離紙とともに装飾シールＭ１〜Ｍ５、Ｎ１〜Ｎ１２を破くなどの失敗を防止することができる。
【００５２】
なお、本発明は、上述の実施の形態に何ら限定されるものでなく、被装飾品がティッシュケースや三段タンスの基体に限られるものでなく、装飾紙Ｄ、Ｅを貼り付け可能である外周が多角形状の被装飾品本体を有するものであればよく、具体的には、矩形筒体の一端が閉塞された小物を収容するケース本体を具備した被装飾ケースなどであってもよい。また、装飾品製作用キットが装飾紙Ｄ、Ｅを含んでいても、装飾紙Ｄ、Ｅに代えて、例えば、布等のシート状のものを用いてもよい。
【図面の簡単な説明】
【００５３】
【図１】第１実施形態におけるティッシュケース製作用キットの構成部品一式を説明するための説明図である。
【図２】図１のティッシュケースの構成を説明する斜視図である。
【図３】ティッシュケース製作用キットを用いて、ティッシュケースを製作する際に、両面接着シート２０および２枚の第１両面接着シート２１、２２を装飾紙Ｄに貼り付けた状態を説明する斜視図である。
【図４】ティッシュケース製作用キットを用いて、ティッシュケースを製作する際に、第２両面接着シート２３、２４を装飾紙Ｄに貼り付けた状態を説明する斜視図である。
【図５】ティッシュケース製作用キットを用いて、ティッシュケースを製作する際に、装飾シールＭ１〜Ｍ５を得る過程を説明する斜視図である。
【図６】装飾シールＭ１〜Ｍ５を外箱１２に貼り付ける過程の説明図である。
【図７】第２実施形態における三段タンスおよび三段タンス製作用キットの構成部品を説明するための斜視図である。
【図８】第２実施形態における三段タンスの基体を除いた三段タンス製作用キットの構成部品を説明するための斜視図である。
【符号の説明】
【００５４】
１、４・・・基体（被装飾品）
１３、１４、１５、１６・・外周側面（外周平面）
２０・・・・両面接着シート
２１、２２・第１両面接着シート
２３、２４・第２両面接着シート
４１・・・・天板（外周平面）
４２・・・・側板（外周平面）
４３・・・・側板（外周平面）
４４・・・・底板（外周平面）
６０、６１・第１両面接着シート
６２、６３・第２両面接着シート
６４・・・・両面接着シート
６５ａ〜６５ｃ、６６ａ〜６６ｃ・・第１両面接着シート
６７ａ〜６７ｃ、６８ａ〜６８ｃ・・第２両面接着シート
６９ａ〜６９ｃ・・・・・・・・・・両面接着シート
７１、７２・両面接着シート
【図１】
0005181670.tif 000002
【図２】
0005181670.tif 000003
【図３】
0005181670.tif 000004
【図４】
0005181670.tif 000005
【図５】
0005181670.tif 000006
【図６】
0005181670.tif 000007
【図７】
0005181670.tif 000008
【図８】
0005181670.tif 000009